(57)【要約】  入力される商用電源をＡＣ／ＤＣ変換して負荷装置に直流電力を供給する電源制御装置を備える電源システムであって、前記電源制御装置内に電流値検出部、電力値検出部、時計部、および、記憶部を予め備えておき、前記電源制御装置は、パワーアシストの開始点を初期値に設定し、前記電流値検出部および前記電力値検出部を介して各種計測データを取得して前記時計部からの時刻情報に紐付けて前記記憶部に格納する。そしてパワーアシストの開始からの期間経過を前記時計部からの時刻情報を基づいて調べ、調べた前記期間経過が所定期間を超えていた場合には、前記記憶部に格納された前記時刻情報に紐付けられた前記所定期間の各種計測データを評価してパワーアシスト開始点の再設定を行う。
2017064801.tif 000002
【特許請求の範囲】
【請求項１】
入力される商用電源をＡＣ／ＤＣ変換して負荷装置に直流電力を供給する電源制御装置を備える電源システムにおいて、
前記電源制御装置は、少なくとも、
前記負荷装置に対して直流電力を供給するＡＣ／ＤＣ変換部と、
該ＡＣ／ＤＣ変換部の出力を受けてバッテリを充電すると共に該バッテリの放電を前記負荷装置に供給する充放電部と、
前記負荷装置に接続されるＤＣバス上の電流値，電力値を検出して計測データを取得し、時計情報と共に記憶部に記憶させるとともにパワーアシストの開始点をパワーアシスト制御部に通知してパワーアシストを開始させる制御手段と、
該制御手段からのパワーアシスト開始点の通知に基づいて前記バッテリの出力を前記負荷装置に供給すると共に前記ＤＣバス上の電流値を検出してパワーアシストの開始／停止を管理するパワーアシスト制御部と、を有し、
前記制御手段は、前記記憶部に記憶された計測データを基に所定期間におけるパワーアシストの挙動を評価し、次所定期間におけるパワーアシストの開始点を再設定する、
ことを特徴とする電源システム。
【請求項２】
前記制御手段は、前記記憶部に記憶された計測データを基に所定期間におけるパワーアシストの挙動を評価する演算部を備え、
該演算部が、各所定期間でのパワーアシスト回数、平均パワーアシスト時間、各パワーアシストで前記バッテリから供給した電力量および前記負荷装置で消費した電力量の最大値，最小値，平均消費電力量、をそれぞれ算出することを特徴とする請求項１に記載の電源システム。
【請求項３】
前記制御手段は、前記記憶部に記憶された計測データを基に所定期間におけるパワーアシストの挙動を評価する演算部を備え、
前記演算部は、前記パワーアシストで前記バッテリが前記負荷装置に供給した各所定期間での電力量分を前記バッテリに充電するに要する平均時間を算出することを特徴とする請求項１に記載の電源システム。
【請求項４】
前記制御手段は、前記記憶部に記憶された計測データを基に所定期間におけるパワーアシストの挙動を評価する演算部を備え、
前記演算部が算出した所定期間におけるパワーアシストの挙動を評価することで次所定期間におけるパワーアシストの開始点の変更の是非を決定し、変更を是とする場合にはパワーアシストの開始点の再設定を行い、変更を非とする場合にはパワーアシストの開始点を維持することを特徴とする請求項１に記載の電源システム。
【請求項５】
前記制御手段は、
入力される商用電源の電流値を検出する手段を有し、
入力される商用電源からの電流値が検出されない場合には、前記負荷装置への電力供給を前記バッテリによりバックアップすることを特徴とする請求項１に記載の電源システム。
【請求項６】
入力される商用電源をＡＣ／ＤＣ変換して負荷装置に直流電力を供給する電源制御装置を備える電源システムにおけるパワーアシスト開始点の再設定方法であって、
前記電源制御装置内に電流値検出部、電力値検出部、時計部、および、記憶部を予め備えておき、
パワーアシストの開始点を初期値に設定する過程、
前記電流値検出部および前記電力値検出部を介して各種計測データを取得して前記時計部からの時刻情報に紐付けて前記記憶部に格納する過程、
パワーアシストの開始からの期間経過を前記時計部からの時刻情報に基づいて調べる過程、および、
調べた前記期間経過が所定期間を超えている場合には、前記記憶部に格納された前記時刻情報に紐付けられた前記各種計測データを評価してパワーアシスト開始点の再設定を行う過程、
を含んで成ることを特徴とする電源システムにおけるパワーアシスト開始点の再設定方法。
【請求項７】
前記各種計測データを評価してパワーアシスト開始点の再設定を行う過程は、各所定期間でのパワーアシスト回数、平均パワーアシスト時間、各パワーアシストで前記バッテリから供給した電力量および前記負荷装置で消費した電力量の最大値，最小値，平均消費電力量、を評価してパワーアシスト開始点の再設定を行う、
請求項６に記載の電源システムにおけるパワーアシスト開始点の再設定方法。
【請求項８】
前記各種計測データを評価してパワーアシスト開始点の再設定を行う過程は、前記パワーアシストで前記バッテリが前記負荷装置に供給した各所定期間での電力量分を前記バッテリに充電するに要する平均時間を評価してパワーアシスト開始点の再設定を行う、
請求項６に記載の電源システムにおけるパワーアシスト開始点の再設定方法。
【発明の詳細な説明】
【技術分野】
【０００１】
本発明は、瞬間的な過負荷時に、入力（商用）電源に影響を与えないようにバッテリユニットから負荷にエネルギー（電力）を供給するパワーアシスト機能を有する電源システムおよび該システムにおけるパワーアシスト開始点の再設定方法に関する。
【背景技術】
【０００２】
通常の電源システムでは、負荷耐量以内であるならば、負荷側の要求した電力をそのまま入力（商用）電源側に要求してしまう。このようにすると、少なからず入力（商用）電源に影響を与えてしまう。【０００３】
そのため、たとえ最大電力が短時間であっても電力の契約を最大電力で行う必要があり、平時には負荷が必要としていない電力分まで確保するようにしてしまう。このため、最大電力の供給を可能とする電力の契約においては電力の平準化がなされていない。【０００４】
一般に、パワーアシスト機能は、あらかじめ決められたある閾値を超えた負荷電力が発生した場合に、バッテリからエネルギー（電力）を負荷に供給して、できるだけ入力（商用）電源側に大きな影響を与えないようにピークシフトするものと理解され、上記電力の平準化を実現するツールとして利用されつつある。【０００５】
従来、パワーアシストは、負荷電力に依存して、パワーアシストの開始、停止を行っている。そのため、パワーアシストを開始するポイント(負荷電力値)が低いと、パワーアシストが頻繁に起こり、結果的にバッテリのエネルギーを大量に消費してしまい、実際、商用電源に異常（例．停電、瞬低等）が発生した際にバックアップが十分にできなくなってしまうという課題があった。【０００６】
その一方、パワーアシストを開始するポイント(負荷電力値)が高いと、パワーアシストが行われにくくなり、パワーアシスト機能を設けても電力の平準化が行えないという課題もあった。【０００７】
図１は、特許文献１に示された従来の電源システムの構成を示すブロック図である。図１に示された従来の電源システムは、交流電源１と、負荷２と、交流電源１を入力して負荷２にほぼ一定電圧を供給する電源ユニット３〜５と、内蔵するバッテリから電力を供給するバッテリユニット６〜８と、により構成されている。【０００８】
上記において電源ユニット３〜５およびバッテリユニット６〜８は、両者につながる共通の直流母線に並列接続されている。【０００９】
電源ユニット３〜５は、ＡＣ／ＤＣ変換回路１０〜１２、および、ＤＣ／ＤＣ変換回路１３〜１５を構成として含んでいる。上記ＤＣ／ＤＣ変換回路１３〜１５は入出力絶縁型のものが一般に用いられる。【００１０】
またバッテリユニット６〜８は、バッテリ１６〜１８、ＤＣ／ＤＣ変換回路１９〜２１を構成として含んでいる。上記ＤＣ／ＤＣ変換回路１９〜２１は、絶縁型、非絶縁型どちらでも構わない。またＤＣ／ＤＣ変換回路１９〜２１は、バッテリユニット側から直流母線側へ、一方向の電力変換を行うものとし、バッテリの充電手段(図示しない)を別途設けるものとするが、双方向の電力変換が可能なものとして充電回路を兼用するようにしたものであってもよい。【００１１】
図１に示された従来の電源システムは、通常モード、バックアップモード、アシストモードのいずれかで動作する。通常モードは、電源ユニット３〜５によって負荷２に電力を供給するモードである。【００１２】
バックアップモードは、交流電源１が停電したとき、バッテリユニット６〜８が負荷２に給電を行うモードである。【００１３】
アシストモードは、電源ユニット３〜５から負荷に供給する電力が不足した場合、不足分をバッテリユニット６〜８が供給するモードである。例えば、負荷２の電力が電源ユニット３〜５の定格電力の合計を超えた場合、停電に至らなくても入力電圧が低下して十分な電力供給できなくなった場合、あるいは故障やメンテナンス等で電源ユニット３〜５の一部が停止した場合、などにモードがアシストモードに切り換えられて動作する。【００１４】
一般にバッテリは、放電により電圧が低下する。低下量は放電電流が大きいほど大きく、また放電が進むにつれ低下量が増加していく性質がある。【００１５】
ＤＣ／ＤＣ変換回路１９〜２１は、バッテリの電圧変化にかかわらず、直流母線電圧をほぼ一定に保つ動作を行う。【００１６】
図１に示された電源システムは、電源ユニット３〜５およびバッテリユニット６〜８を複数台並列接続して使用する。この際に各ユニットの電流バランスを取るために、各ユニットにいわゆるドループ(droop)特性に基づく制御を行うようにしている。【００１７】
このように下記特許文献１に開示されている電源システムは、複数の直流電源ユニットを並列接続し、停電時にその出力ラインをバッテリによりバックアップするとともに、電源ユニットの垂下特性(droop特性)を制御して、一時的に定格電流以上の電流を供給するようにしているものの、パワーアシストを開始するポイント（開始点）は固定もしくは予めサーバ等からの通知により設定されていて、運用中にポイント（開始点）を変更できないようになっている。
【先行技術文献】
【特許文献】
【００１８】
【特許文献１】ＷＯ２０１５／０１５５７０Ａ１（ＦＩＧ．２）
【発明の開示】
【００１９】
上記したようにパワーアシストを開始するポイント（開始点）は運用中に変更できないようになっているため、負荷における環境変化や負荷に対するパワーアシストの開始点の設定によっては、パワーアシストを開始しない、或いは、高い頻度でパワーアシストを開始してしまう、といった電源システムとして望ましくないケースが発生するという課題がある。
【００２０】
そこで本発明の目的は、電源システムの運用中にパワーアシストを開始するポイント（パワーアシスト開始点）を適宜変更することが可能な電源システムおよび該システムにおけるパワーアシスト開始点の再設定方法を提供することにある。
【００２１】
上記目的を達成するために本発明の電源システムは、入力される商用電源をＡＣ／ＤＣ変換して負荷装置に直流電力を供給する電源制御装置を備える電源システムにおいて、
上記電源制御装置は、少なくとも、
上記負荷装置に対して直流電力を供給するＡＣ／ＤＣ変換部と、
該ＡＣ／ＤＣ変換部の出力を受けてバッテリを充電すると共に該バッテリの放電を上記負荷装置に供給する充放電部と、
上記負荷装置に接続されるＤＣバス上の電流値，電力値を検出して計測データを取得し、時計情報と共に記憶部に記憶させるとともにパワーアシストの開始点をパワーアシスト制御部に通知してパワーアシストを開始させる制御手段と、
該制御手段からのパワーアシスト開始点の通知に基づいて上記バッテリの出力を上記負荷装置に供給すると共に上記ＤＣバス上の電流値を検出してパワーアシストの開始／停止を管理するパワーアシスト制御部と、を有し、
上記制御手段は、上記記憶部に記憶された計測データを基に所定期間におけるパワーアシストの挙動を評価し、次所定期間におけるパワーアシストの開始点を再設定する、ことを特徴とする。
【００２２】
また本発明の電源システムにおけるパワーアシスト開始点の再設定方法は、入力される商用電源をＡＣ／ＤＣ変換して負荷装置に直流電力を供給する電源制御装置を備える電源システムにおけるパワーアシスト開始点の再設定方法であって、
上記電源制御装置内に電流値検出部、電力値検出部、時計部、および、記憶部を予め備えておき、
パワーアシストの開始点を初期値に設定する過程、
上記電流値検出部および上記電力値検出部を介して各種計測データを取得して上記時計部からの時刻情報に紐付けて上記記憶部に格納する過程、
パワーアシストの開始からの期間経過を上記時計部からの時刻情報に基づいて調べる過程、および、
調べた上記期間経過が所定期間を超えている場合には、上記記憶部に格納された上記時刻情報に紐付けられた上記各種計測データを評価してパワーアシスト開始点の再設定を行う過程、を含んで成ることを特徴とする。
【００２３】
本発明によれば、パワーアシストを開始するポイントを負荷電力やパワーアシストの回数、期間といった統計データを元に適宜再設定することができ、パワーアシストを有効に動作させることで、据え付けられた電源システムを効率的に動作させることが可能となる。
【００２４】
また電源システムの変更等で負荷の定格容量が変わった場合においても自動的にパワーアシストの開始ポイントが再設定されるため、保守者がパワーアシストの開始ポイントを逐一設定する作業を不要とすることができる。
【図面の簡単な説明】
【００２５】
【図１】特許文献１に示された従来の電源システムの構成を示すブロック図である。
【図２】本発明の実施形態に係る電源システムの全体構成を示すブロック図である。
【図３】図２に示した電源制御装置の詳細構成を示す図である。
【図４】本発明の実施形態に係るパワーアシスト動作時の出力分担イメージを示す図である。
【図５】本発明の実施形態に係るパワーアシスト開始点の再設定イメージを示す図である。
【図６】本発明の実施形態に係るパワーアシスト開始点の再設定動作を説明するフロー図である。
【発明を実施するための形態】
【００２６】
以下、本発明を実施するための最良の形態を、図面を参照しながら説明する。
図２は、本発明の実施形態に係る電源システムの全体構成を示すブロック図である。図２において、本発明の実施形態に係る電源システムは、電源制御装置１００と、負荷装置２００と、両者につながるＤＣバス（直流母線）と、により構成されている。
【００２７】
電源制御装置１００は、不図示の交流電源から供給される交流（ＡＣ）を直流（ＤＣ）に変換し、負荷装置２００と充放電器１２に直流電力を供給するＡＣ／ＤＣ変換部１０１と、ＡＣ／ＤＣ変換部１０１から出力される直流電力に基づいてバッテリ１０３を充電するとともにＤＣバスを経て負荷装置２００に不図示の制御装置の指示にしたがって直流電力を“パワーアシスト”として供給する充放電器１０２と、ＡＣ／ＤＣ変換部１０１から出力される直流電力を蓄積するとともに蓄積された直流電力をパワーアシスト制御（これについては後述する）に基づいてＤＣバスを介して負荷装置２００に供給するバッテリ（バッテリユニット）１０３と、を備えて構成される。
【００２８】
負荷装置２００は、ＤＣバスに結合するＤＣ入力部を各々有する負荷１ないし負荷３を備え、図示例では、負荷１に対してのみ図示番号２０１を付し、他の負荷２，３に対しては図示番号を付していない。なお、図示例の負荷の数は単なる例であり、この数に限定されるものではない。また図示の負荷１ないし負荷３には、サーバが想定されている。
【００２９】
サーバを負荷とする電源システムにおいては、サーバによる情報処理量によって消費電力が変化する（図５の負荷電力ｂの変移参照）。ところで最近のサーバにあっては、機器内に電力消費制御に関する機能が備わっており、サーバの使用する最大電力を抑えることにより、電力消費を平準化し、処理時間は多少長くかかるが、ピーク時の電力消費を抑えられるようになっている。
【００３０】
図３は、図２に示した電源制御装置１００の詳細構成を示す図である。図３において、本発明の実施形態に係る電源制御装置１００は、その主たる構成は図２で説明したとおりであるが、それ以外に、制御装置３４、パワーアシスト制御部４０、時計部４２、メモリ４３、および、電流値検出部３５，３９、４１並びに電力値検出部３６，３８を有している。
【００３１】
図３に示される構成により実現される機能を以下箇条書きで説明する。すなわち、
【００３２】
（１）電流値検出部３５は、ＡＣ入力の電流値を検出し、検出した電流値を制御装置３４に伝える機能を有している。これにより、制御装置３４はＡＣ電源の正常／異常状態を知ることができる。
【００３３】
（２）電力値検出部３６は、ＡＣ／ＤＣ変換部３１から出力された直流電力値を検出することで、充電器３２に供給される直流電力値を制御装置３４に伝える機能を有している。なお、図示のバッテリユニット３３はリチウムイオン電池を想定しており、該電池の充電は、定電流定電圧充電(CCCV)方式により行われるものとしている。
【００３４】
（３）電力値検出部３８は、放電器３７から出力された直流電力値を検出し、放電器３７から出力された直流電力値を制御装置３４に伝える機能を有している。なお、図示のバッテリユニット３３はリチウムイオン電池を想定しており、該電池の放電電流は該電池を構成するセルの容量値によって既定されているものとしている。
【００３５】
（４）電流値検出部３９は、ＡＣ／ＤＣ変換部３１から出力される電流値並びにＤＣバス上に出力されている電流値を検出して、後述するパワーアシスト制御部４０に伝える機能を有している。
【００３６】
（５）パワーアシスト制御部４０は、制御装置３４から指示されるデフォルトのパワーアシストの開始点に基づいてパワーアシストを開始するとともに、パワーアシスト制御に係る計測データを電力値検出部３６，３８、電流値検出部３９，４１を介して制御装置３４に通知する。制御装置３４は通知された計測データをメモリ４３に蓄積し、メモリ４３から所定期間（例．１週間）分のパワーアシストに関する統計データを読み出し、演算部（不図示）で所定のアルゴリズムによる演算を実施することで次所定期間におけるパワーアシストの開始点の変更の是非を判断し、変更が必要であればパワーアシストの開始点の再設定を行うことで、電源制御装置１００（図２参照）におけるパワーアシストの開始点を再設定し、電源システム（図２参照）にとって最も有効なパワーアシストを実現する。これについては後で詳しく説明する。
【００３７】
（６）電流値検出部４１は、ＤＣバス上におけるパワーアシスト開始後の電流値を検出して、パワーアシスト開始点におけるパワーアシストの挙動を示す計測データとして制御装置３４に供給する機能を有している。
【００３８】
（７）時計部４２は、制御装置３４がパワーアシスト制御部４０にパワーアシストの開始点を指示したときの時刻情報、電流値検出部３５，４１で検出した電流値をメモリ４３に蓄積するときの時刻情報、電力値検出部３６，３８で検出した電力値をメモリ４３に蓄積するときの時刻情報等を、制御装置３４に伝える機能を有している。
【００３９】
（８）メモリ４３は、制御装置３４に伝えられた電流値、電力値等の所定期間（例．１週間）分の計測データ、パワーアシスト開始及び停止の時刻情報などの統計データを蓄積し、蓄積した統計データを所定のアルゴリズム（これについては後述する）を用いて制御装置３４が評価を行うために保存しておき、制御装置３４が保存した統計データを用いて評価して次所定期間におけるパワーアシスト開始点の再設定を行う。
【００４０】
（９）制御装置３４は、メモリ４３に蓄積された所定期間におけるパワーアシスト制御に係る統計データを上記したメモリ４３から読み出したうえで所定のアルゴリズムを用いて演算を行うことで、設定されている現パワーアシスト開始点を評価し、変更が必要であれば次所定期間におけるパワーアシスト開始点を再設定し、据え付けられた電源システムにとって最も有効なパワーアシストを実現する。これについては後で詳しく説明する。
【００４１】
図４は、本発明の実施形態に係るパワーアシスト動作時の出力分担イメージを示す図である。
【００４２】
図４に示されるパワーアシスト開始点は、電源システムの稼働時にデフォルトで初期設定された負荷電力上のポイントであり、一例として、図４ではパワーアシストが開始される以前の、図３に示したＡＣ／ＤＣ変換部３１から出力される電力の最大値に設定されるものとしている。
【００４３】
したがって、据え付けられた電源システムにおける出力電力の分担は、パワーアシストが開始される前は図３のバッテリユニット３３から出力される電力を考慮せずにＡＣ／ＤＣ変換部３１から負荷装置２００（図２参照）に出力される電力であり、そして負荷装置２００が必要とする電力がパワーアシスト開始点を超えた場合には、図３のバッテリユニット３３が電力供給を負担して負荷装置２００にパワーアシストすることを示している。
【００４４】
なお図４に例示したパワーアシスト開始点は単なる例であってこれに限定されるものでない。つまり、図３に示したＡＣ／ＤＣ変換部３１から出力される直流電力の最大値未満、すなわち図４のアシスト開始点より低い値、に設定されていても良い。
【００４５】
いずれにせよ本発明の実施形態に係る電源システムは、設定されたパワーアシスト開始点を超えた場合に、負荷装置に対しバッテリユニット３３から直流電力の供給を開始するとともに、後述するように、開始した後はパワーアシスト制御に係る統計データを取得し、それを所定期間に亘り保存したうえで保存した統計データを読み出して所定のアルゴリズムを用いて評価して次所定期間におけるパワーアシスト開始点を再設定することで電源システムにとって最も有効なパワーアシストを実現するものである。
【００４６】
図５は、本発明の実施形態に係るパワーアシスト開始点の再設定イメージを示す図である。すなわち図示例では、パワーアシストを開始してから所定期間（以下では当該期間を“スパン”と称する）について設定されたパワーアシスト開始点に対する負荷電力の挙動として計測し、計測した負荷電力の挙動を制御装置３４（図３参照）が所定のアルゴリズム（後述する）を用いて評価し次所定期間におけるパワーアシスト開始点を再設定する。
【００４７】
図５においては図示の如く、スパン１、スパン２、スパン４の終了時点、すなわち次所定期間の開始時点で“変更あり”としてパワーアシスト開始点を再設定している様子が示されている。
【００４８】
なお図５においてパワーアシスト開始点は、例えばデフォルトで初期設定された、所定期間（スパン１）内において１点鎖線により表わされた電力レベルａで示されており、設定されたパワーアシスト開始点ａに対して負荷電力ｂのように挙動し、当該挙動を所定のアルゴリズム（後述する）により評価し、その評価結果に基づいて次所定期間におけるパワーアシスト開始点、つまり次所定期間における電力レベル、を変更する。
【００４９】
具体的に説明すれば、スパン１では、初期設定されたパワーアシスト開始点ａに対してパワーアシストが１回も行われていないため、次のスパン２の開始時点でパワーアシスト開始点ａが“変更あり”で引き下げられている。
【００５０】
またスパン２では、スパン１における評価結果で再設定されたパワーアシスト開始点ａを超える負荷電力ｂが１回発生してパワーアシストが行われているが、当該所定期間におけるパワーアシスト開始点ａと負荷電力ｂとの乖離が依然として存在するため、次のスパン３の開始時点でパワーアシスト開始点が“変更あり”で引き下げられている。
【００５１】
スパン３では、スパン２における評価結果で再設定されたパワーアシスト開始点ａを超える負荷電力ｂが発生して当該所定期間内でパワーアシストが行われている一方で、超えない負荷電力ｂも所定期間内に発生しており、当該所定期間におけるパワーアシスト開始点ａと負荷電力ｂとの乖離は殆どないと判断されるため、次のスパン４の開始時点でパワーアシスト開始点ａが“変更なし”で維持されている。
【００５２】
スパン４では、スパン３で維持されたパワーアシスト開始点ａを超える負荷電力ｂが２回発生して当該所定期間内でパワーアシストが行われているが、その一方で超えない負荷電力ｂも２回発生しているものの、当該所定期間におけるパワーアシスト開始点ａと負荷電力ｂに乖離が発生していると認められるため、次のスパン５の開始時点でパワーアシスト開始点が“変更あり”で引き上げられている。
【００５３】
スパン５では、スパン４における評価結果で再設定されたパワーアシスト開始点ａを超える負荷電力ｂが１回発生してパワーアシストが行われているが、当該所定期間におけるパワーアシスト開始点ａと負荷電力ｂとの乖離が大きくなっていることが認められるため、並びに、図５の下部に示されているバッテリ残容量ｅが満充電レベルに比べて次第に低くなる傾向が認められるため、次のスパン６（不図示）の開始時点ではパワーアシスト開始点が“変更あり”で引き上げられることが考えられる。これは図３に示したバッテリユニット３３がＡＣ入力の遮断の際（停電時）に負荷電力を全面的にバックアップする余力が無くなるのを防ぐためである。
【００５４】
なお図５の中段には、各所定期間におけるパワーアシスト開始点ａとの対比で、図３に示したバッテリユニット３３がパワーアシストｃまたは充電ｄの状態を交互にとっていることが併せて示されている。
【００５５】
図６は、本発明の実施形態に係るパワーアシスト開始点の再設定動作を説明するフロー図である。図６において、
【００５６】
ステップS1では、パワーアシストの開始点を初期値(図４参照)に設定する。
【００５７】
ステップS2では、図３に示した電力値検出部３６，３８、電流値検出部３９，４１を介して各種計測データを取得する。
【００５８】
ステップS3では、パワーアシストの開始からの期間経過を調べる。
【００５９】
ステップS4では、ステップS3で調べた期間経過が所定期間（図５に示したスパン）未満ならばステップS2に戻り、一方、ステップS3で調べた期間経過が所定期間を超えていたらステップS5に進む。
【００６０】
ステップS5では、上記した各種計測データを所定期間保存した統計データを所定のアルゴリズムを用いて演算を行い、設定されている現パワーアシスト開始点の評価を行う。これについては後述する。
【００６１】
ステップS6では、ステップS5における評価結果に基づいて、パワーアシスト開始点の再設定を行う。
【００６２】
このようにして本発明に係るパワーアシスト開始点の再設定においては、所定期間（図５に示したスパン）における統計データを基に所定のアルゴリズムによる演算によって現パワーアシスト開始点の評価を行い、次所定期間におけるパワーアシスト開始点を再設定する。このパワーアシスト開始点の再設定を所定期間ごと数度にわたり行うことで、据え付けた電源システムにとって最も有効なパワーアシストを実現することが可能となる。
【００６３】
次に上記した電源制御装置におけるパワーアシスト開始点の再設定のアルゴリズムについて概略を説明する。パワーアシスト開始点を再設定するアルゴリズムは、据え付けられる電源システムの環境によって画一的に決定できないため、その基本部分についての概略のみを説明することにする。
【００６４】
図２、図３及び図５を参照しながら、パワーアシスト開始点の再設定アルゴリズムについての概略を、以下、箇条書きにして説明する。
【００６５】
（１）図３の制御装置３４の演算部（不図示）は、図３に示した電力値検出部３６，３８、電流値検出部３９、４１を用いて計測して所定期間分だけメモリ４３に蓄積した統計データを参照して、各所定期間（図５に示す各スパン）内でのパワーアシスト回数、平均パワーアシスト時間、各パワーアシストでバッテリユニット３３が供給した電力量および負荷装置２００（図２参照）で消費した電力量の最大値，最小値，平均消費電力量、をそれぞれ算出し、算出した結果をメモリ４３に蓄積しておく。
【００６６】
またパワーアシストでバッテリユニット３３が負荷装置２００に供給した各所定期間（図５に示す各スパン）内での電力量分を充電器３２を介して充電するに要する平均時間を算出し、算出した結果をメモリ４３に同じく蓄積しておく。
【００６７】
（２）図３の制御装置３４の演算部（不図示）は、各所定期間（図５に示す各スパン）の終了時点でメモリ４３に蓄積された統計データを用いて、パワーアシスト回数、平均パワーアシスト時間、各パワーアシストでバッテリユニット３３が供給した電力量および負荷装置２００で消費した電力量の最大値，最小値，平均消費電力量、さらに、バッテリユニット３３が負荷装置２００に供給した各所定期間での電力量分を充電器３２が充電するに要する平均時間、等を参照して評価を行い、次所定期間におけるパワーアシスト開始点を再設定する必要があるか否かを決定する。
【００６８】
以下は、上記の評価結果に基づいて再設定する必要があるか否かを決定する例を、図５を参照しながら説明する。
【００６９】
（ａ）設定されている現パワーアシストの開始点でのパワーアシスト開始後の所定期間内でパワーアシストが行われなかった、もしくはパワーアシスト開始後のバッテリユニット３３の残容量がある閾値（例えばバッテリ容量の９０％）を下回らない場合には、設定されているパワーアシスト開始点を低い値に再設定する（例えば、図５のスパン１，２参照）。なお、どの程度低い値にするかは据え付けられた電源システムの統計データを参照することにより決定することが望ましい。
【００７０】
（ｂ）負荷装置２００（図２参照）で消費した電力量の最大値と最小値の差分がある閾値(例えば、バッテリ容量の１０％前後)に納まっている場合には、パワーアシストの開始点を負荷装置２００の平均消費電力の値に再設定する（例えば、図５のスパン３参照）。
【００７１】
（ｃ）パワーアシストで消費したバッテリユニット３３の電力量を充電できない虞れがある場合（スパン５の終了時点に示されるように、図５下部に示されるバッテリ残容量ｅが満充電レベルに比べて急激に低下していく傾向が認められるような場合）には、図３に示したバッテリユニット３３が停電時に負荷電力を全面的にバックアップできなくなる虞れが生じて電源システムとして成り立たたなくなるため、パワーアシスト開始点を高い値にする。どの程度高い値にするかは据え付けられた電源システムの統計データを参照することにより決定することが望ましい。
【産業上の利用可能性】
【００７２】
本発明は、図示例のサーバに限らず大型コンピュータ用電源装置や通信機器用電源装置にも適用することが可能である。
【図１】
2017064801.tif 000003
【図２】
2017064801.tif 000004
【図３】
2017064801.tif 000005
【図４】
2017064801.tif 000006
【図５】
2017064801.tif 000007
【図６】
2017064801.tif 000008
【国際調査報告】
2017064801.tif 000009
2017064801.tif 000010
2017064801.tif 000011
2017064801.tif 000012